(57)【特許請求の範囲】
【請求項１】
外部機器と通信を行うための通信手段と、
被写体を撮像する撮像手段と、
前記通信手段により前記外部機器からの着信を受けた場合に、複数の報知形態のうち少なくとも１つの報知形態で報知する報知手段と、
前記撮像手段が動作中であるか否かに応じて自動的に前記報知形態を選択して報知を行うか、前記撮像手段が動作中であるか否かにかかわらず予め選択された報知形態で報知を行うかを設定する設定手段と、
前記設定手段による設定に基づき前記報知手段による報知を制御する制御手段と、
を有することを特徴とする通信機能付き撮像装置。
【請求項２】
前記報知手段の複数の報知形態は、バイブレーションにより着信を報知する報知形態を含み、
前記制御手段は、前記設定手段により自動的に報知形態を選択するよう設定されている場合であって、前記撮像手段の動作中に前記着信を受けた場合には、前記バイブレーションによる報知を行わないよう制御することを特徴とする請求項１に記載の通信機能付き撮像装置。
【請求項３】
前記報知手段の複数の報知形態は、音により着信を報知する報知形態を含み、
前記制御手段は、前記設定手段により自動的に報知形態を選択するよう設定されている場合であって、前記撮像手段の動作中に前記着信を受けた場合には、前記音による報知を行わないよう制御することを特徴とする請求項１に記載の通信機能付き撮像装置。
【請求項４】
前記撮像手段により撮像した被写体像を表示する表示手段を有し、
前記報知手段の複数の報知形態は、着信を受けた旨を前記表示部に表示することによる報知形態を含み、
前記制御手段は、前記設定手段により自動的に報知形態を選択するよう設定されている場合であって、前記撮像手段の動作中に前記着信を受けた場合には、前記表示による報知形態で報知を行うよう制御することを特徴とする請求項２乃至３に記載の通信機能付き撮像装置。
【請求項５】
前記表示手段が収納されているか否かを検出する検出手段を有し、
前記制御手段は、前記設定手段による設定及び前記検出手段による検出結果に応じて制御を行うことを特徴とする請求項１に記載の通信機能付き撮像装置。
【請求項６】
外部機器と通信を行うための通信手段と、被写体を撮像する撮像手段と、前記通信手段により前記外部機器からの着信を受けた場合に、複数の報知形態のうち少なくとも１つの報知形態で報知する報知手段とを有する通信機能付き撮像装置の制御方法であって、
前記撮像手段が動作中であるか否かに応じて自動的に前記報知形態を選択して報知を行うか、前記撮像手段が動作中であるか否かにかかわらず予め選択された報知形態で報知を行うかを設定する設定工程と、
前記設定工程での設定に基づき前記報知手段による報知を制御する制御工程と、
を有することを特徴とする通信機能付き撮像装置の制御方法。
【発明の詳細な説明】
【０００１】
【発明の属する技術分野】
本発明は、通信機能付き撮像装置およびその制御方法に関する。
【０００２】
【従来の技術】
音声通話およびデータ通信を選択的に実行可能な通信機能を有し、該記通信機能と同時にまたは切り替えて撮影動作を実行することが可能な通信機能付き撮像装置が提案されている。このような通信機能付き撮像装置の一例について図１８ないし図２１を参照しながら説明する。図１８は従来の通信機能付き撮像装置の外観構成を示す斜視図、図１９は図１８の通信機能付き撮像装置の背面側の外観構成を示す斜視図、図２０は図１８の通信機能付き撮像装置のＥＶＦの回転動作を示す斜視図、図２１は図１８の通信機能付き撮像装置の撮影時の状態を示す斜視図である。
【０００３】
従来の通信機能付き撮像装置は、ＰＨＳ通話機能付きデジタルスチルカメラであって、図１８に示すように、撮像レンズ２１１、シャッター２２０、撮影用ストロボ２１７、スピーカおよびカラー液晶パネルが一体的に設けられているＥＶＦ（電子ビューファインダ）２１３、マイク２１２、電話番号入力、機能設定に用いられるテンキー２１４、撮影モード、音声通話モード、データ通信モードの各モードに共用の機能設定などを行うための機能キー２１５、各種設定値の設定／表示を行うための白黒液晶パネル２１６およびアンテナ２１９を備える。
【０００４】
ＥＶＦ２１３は、２軸方向に回転する回転機構を有するとともに、その表面にカラー液晶パネルが、その裏面にスピーカがそれぞれ設けられている。ここで、図１８においては、ＥＶＦ２１３がその裏面すなわちスピーカが露出した状態に回転されている。このＥＶＦ２１３の表面（カラー液晶パネル）側には、図１９に示すように、着信があると、その旨を知らせる鳴動音またはバイブレーション動作に合せて点灯するＬＥＤ２１９、突起部２２２が設けられている。この突起部２２２は、ＥＶＦ２１３が本体側に収容されたときに本体側のＥＶＦ検知スイッチ２２１と当接し、ＥＶＦ検知スイッチ２２１は、ＥＶＦ２１３のカラー液晶パネルが収納状態にあることを示す信号を出力する。ＥＶＦ２１３は、図２０に示すように、回転機構により、本体に対して引き出しまたは収納した状態になるように１つの軸の周りに回転運動可能であり、また引き出した状態で光軸方向（撮像レンズ２１１の光軸）に直交する軸の周りに回転運動可能である。通話時には、図１８に示すように、ＥＶＦ２１３をスピーカが表面側に向くように収納し、このスピーカとマイク２１２とを用いて通話を行う。また、撮影した画像を再生する場合には、図２１に示すように、ＥＶＦ２１３のカラー液晶パネルを表面側に向けて収納し、撮影した画像を再生してカラー液晶パネルに表示する。
【０００５】
機能キー２１５は、各モード共通の入力操作、例えば電源ＯＮ／ＯＦＦ、電話／撮影モードの切替、電話着信／切断などを行うためのキーである。白黒液晶パネル２１６には、例えば電話モード時、入力した電話番号、現在の電界強度、音量設定などのデータが表示される。
【０００６】
このように、本装置は、撮影機能とともに、音声通話およびデータ通信を行う通信機能を有し、この通信機能は撮影機能と同時または単独に実行可能に構成されている。例えば、撮影しながら通話を行うことが可能であり、または撮影しながらその撮影した画像をＰＩＡＦＳ方式の無線通信によって送信することができる。この通信機能においては、着信を報知するための報知手段（図示せず）が設けられている。この報知手段は、着信を音で知らせる音着信報知形態、着信を振動で知らせるバイブレーション報知形態を選択可能に構成され、選択された報知形態で着信の報知を行うように構成されている。この報知形態の選択はテンキー２１４または機能キー２１５を用いた入力操作により行われる。
【０００７】
【発明が解決しようとする課題】
しかし、上述した従来の通信機能付き撮像装置においては、撮影中に着信があると、選択された報知形態すなわち音または振動により着信を知らせるから、この着信報知により撮影が妨害されて一時中断されるなどの事態が発生する場合がある。例えば、バイブレーション報知形態が設定されている状態でこの撮影中に着信があると、振動により装置本体がぶれて被写体のぶれが発生するなどの事態が生じる。このような事態の発生を回避するために、着信があると、ＬＥＤ２１９のみを点滅させる方法があるが、撮影開始前には、必ず、着信をＬＥＤ２１９の点滅のみで知らせる形態を設定する操作を行うわなければならず、非常に使い勝手が悪い。
【０００８】
本発明の目的は、撮影を妨害することなく、撮影動作中の着信を報知することができる通信機能付き撮像装置およびその制御方法を提供することにある。
【０００９】
【課題を解決するための手段】
本発明は、上記目的を達成するため、外部機器と通信を行うための通信手段と、被写体を撮像する撮像手段と、前記通信手段により前記外部機器からの着信を受けた場合に、複数の報知形態のうち少なくとも１つの報知形態で報知する報知手段と、前記撮像手段が動作中であるか否かに応じて自動的に前記報知形態を選択して報知を行うか、前記撮像手段が動作中であるか否かにかかわらず予め選択された報知形態で報知を行うかを設定する設定手段と、前記設定手段による設定に基づき前記報知手段による報知を制御する制御手段と、を有することを特徴とする通信機能付き撮像装置を提供する。
【００１０】
本発明は、上記目的を達成するため、外部機器と通信を行うための通信手段と、被写体を撮像する撮像手段と、前記通信手段により前記外部機器からの着信を受けた場合に、複数の報知形態のうち少なくとも１つの報知形態で報知する報知手段とを有する通信機能付き撮像装置の制御方法であって、前記撮像手段が動作中であるか否かに応じて自動的に前記報知形態を選択して報知を行うか、前記撮像手段が動作中であるか否かにかかわらず予め選択された報知形態で報知を行うかを設定する設定工程と、前記設定工程での設定に基づき前記報知手段による報知を制御する制御工程と、を有することを特徴とする通信機能付き撮像装置の制御方法を提供する。
【００２３】
【発明の実施の形態】
以下に本発明の実施の形態について図を参照しながら説明する。
【００２４】
図１は本発明の通信機能付き撮像装置の実施の一形態の外観構成を示す斜視図、図２は図１の通信機能付き撮像装置の撮影時におけるＥＶＦの状態を示す斜視図、図３は図１の通信機能付き撮像装置のシャッターボタンおよびその周囲を拡大して示す図である。
【００２５】
本実施の形態における通信機能付き撮像装置は、ＰＨＳ通話機能付きデジタルスチルカメラであって、図１に示すように、撮像レンズ１０、シャッターボタン１１、撮影用ストロボ１７、裏面にスピーカ１６が設けられているカラー液晶パネルからなるＥＶＦ（電子ビューファインダ）１３、マイク１５、電話番号入力、機能設定に用いられるテンキー群１２、撮影モード、音声通話モード、データ通信モードの各モードに共用の機能設定などを行うための機能キー群１４、各種設定値の設定／表示を行うための白黒液晶パネル１８およびアンテナ１９を備える。
【００２６】
ＥＶＦ１３は、２軸方向に回転する回転機構を有するとともに、その表面にカラー液晶パネルが、その裏面にスピーカがそれぞれ設けられている。ここで、図１においては、ＥＶＦ１３がそのカラー液晶パネルが露出した状態に回転されている。また、このＥＶＦ１３の表面（カラー液晶パネル）側には、図２に示すように、着信があると、その旨を知らせる鳴動音またはバイブレーション動作に合せて点灯するカラー色のＬＥＤ２３および突起部２２が設けられている。この突起部２２は、ＥＶＦ１３が本体側に収容されたときに本体側のＥＶＦ検知スイッチ２１と当接し、ＥＶＦ検知スイッチ２１は、ＥＶＦ１３のカラー液晶パネルが収納状態にあることを示す信号を出力する。ＥＶＦ１３は、その回転機構により、本体に対して引き出しまたは収納した状態になるように１つの軸の周りに回転運動可能であり、また引き出した状態で光軸方向（撮像レンズ１０の光軸）に直交する軸の周りに回転運動可能である。この回転運動については従来例で説明したと同様である。通話時には、ＥＶＦ２１３をスピーカ１６が表面側に向くように収納し、このスピーカ１６とマイク１５とを用いて通話を行う。また、撮影した画像を再生する場合には、ＥＶＦ２１３のカラー液晶パネルを表面側に向けて収納し、撮影した画像を再生してカラー液晶パネルに表示する形態で使用することができる。
【００２７】
ここで、ＥＶＦ検知スイッチ２１が突起部２２と当接すると、ＥＶＦ検知スイッチ２１はオンになり、ＥＶＦ検知スイッチ２１がオン状態にあるときには、ＥＶＦ１３はその表示を停止し、待機モードに移行する。すなわち、発呼または着信を待つ状態に移行する。これに対し、ＥＶＦ１３を開くと、ＥＶＦ検知スイッチ２１はオフになり、ＥＶＦ１３は表示を開始する。
【００２８】
シャッターボタン１１の周囲には、図３に示すように、モードセレクトスイッチ３１が配置されている。モードセレクトスイッチ３１はシャッターボタン１１を中心に回転操作可能なボタンであり、その回転位置に応じてモードを切替可能に構成されている。本実施の形態では、モードセレクトスイッチ３１の操作により、「ＯＦＦモード」、「ＴＥＬモード」、「ＶＩＥＷモード」、「ＣＡＭＥＲＡモード」の４つのモードを選択可能である。「ＯＦＦモード」は、装置の電源を切るモードである。「ＴＥＬモード」は、マイク１５およびスピーカ１６を用いた通話を行うモードである。「ＶＩＥＷモード」は、記録媒体に格納されている画像を読み出してＥＶＦ１３に表示するモードである。「ＣＡＭＥＲＡモード」は、撮像レンズ１０を介して画像を撮影するモードである。ここで、「ＯＦＦモード」以外の全てのモードにおいては、電話の待ち受けが有効な状態である。
【００２９】
次に、本通信機能付き撮像装置の内部構成について図４を参照しながら説明する。図４は図１の通信機能付き撮像装置の内部構成を示すブロック図である。
【００３０】
本通信機能付き撮像装置は、図４に示すように、カメラ部４１０、ＰＨＳ部４２０、カラー液晶部４３０、電源部４４０およびメインＣＰＵ部４５０を備え、これらのブロックが互いに協働することによってＰＨＳ通話機能およびデジタルカメラ機能を実現する。
【００３１】
カメラ部４１０は、レンズユニット４１１と、絞り、シャッターおよびそれらを駆動するモータやソレノイドを含む周辺回路４１２と、ストロボおよびそれの駆動回路を含むストロボ回路４１３と、レンズユニット４１１を介して結像された光像を映像信号に変換して出力するＣＣＤ４１４と、ＣＣＤ４１４から出力された映像信号を一時的に保持するバッファメモリ４１６と、周辺回路４１２、ストロボ回路４１３の駆動を制御するとともに、バッファメモリ４１６の書込み、読出し動作を制御するコントロールマイコン４１５とを有する。
【００３２】
ＰＨＳ部４２０は、通話、通信などのＰＨＳとしての主動作を制御するためのＰＨＳコントローラ４２１と、発呼／着呼手順、データ通信用プロトコルすなわちＰＩＡＦＳプロトコルなどとともに自局番号を格納するＲＯＭ４２２と、ＰＨＳコントローラ４２１の制御に従い実際の電波の送受信を行うＲＦモジュール／アンテナ４２３と、着信報知を行うためのサウンダ、バイブレーションおよびＬＥＤ２３（図１または図２に示す）含む着信報知回路４２４（図中「サウンダ／バイブレーション」と記す）とを有する。着信報知回路４２４は、ＰＨＳコントローラ４２１にＩ／Ｏポートを介して接続され、このＩ／Ｏポートに所定の値を書き込むことによって着信報知回路４２４による鳴動、点滅などの着信報知動作が行われることになる。この際の動作パラメータは、予めユーザによって選択されたものが使われ、その情報は後述するメインＣＰＵ部４５０のフラッシュメモリ４５２内の所定アドレスに格納される。
【００３３】
ＰＨＳコントローラ４２１には、着呼した相手先からの音声データを所定のコーデックにより元のアナログ音声信号に復元するＤ／Ａコンバータ（図中「Ｄ／Ａ」と記す）４２５が接続され、このＤ／Ａ４２５から出力されたアナログ音声信号はＯＰアンプ４２６により所定量増幅された後にスピーカ１６から出力される。また、マイク１５を介して入力されたアナログ音声信号は、ゲインアップ回路４２７により所定量増幅された後にＡ／Ｄコンバータ４２８に入力される。Ａ／Ｄコンバータ（図中「Ａ／Ｄ」と記す）４２８は入力されたアナログ音声信号を所定のコーデックによりデジタル変換し、このデジタル変換によって得られた音声データはＰＨＳコントローラ４２１に入力される。ＯＰアンプ４２６およびゲインアップ回路４２７の動作は、ＰＨＳコントローラ４２１により制御される。
【００３４】
カラー液晶部は、カラー液晶パネル（ＥＶＦ）１３と、カラー液晶パネル１３のバックライト／インバータ回路４３１と、ＥＶＦ検知スイッチ２１と、液晶コントローラ４３２とを有する。液晶コントローラ４３２は、カラー液晶パネル１３およびバックライト／インバータ回路４３１を駆動し、ＥＶＦ検知スイッチ２１からのオン信号を入力すると、カラー液晶パネル１３およびバックライト／インバータ回路４３１の駆動を停止するように制御する。
【００３５】
電源部４４０は、主にインタフェース装置との入出力をコントロールするためのサブＣＰＵ４４１と、電源関係のデバイスとを有する。サブＣＰＵ４４１に接続されるインタフェース装置としては、キースイッチ１２、白黒液晶パネル１２７、外部周辺装置を接続するためのシリアルポート４４２とがある。
【００３６】
電源関係のデバイスとしては、電池（二次電池）４４３と、ＤＣ−ＤＣコンバータ４４４と、サブＣＰＵ４４１に接続されている電源制御回路４４５とがあり、電源制御回路４４５は、キースイッチ１２による電源のオン／オフ、パワーマネジメント、充電管理などの電源制御を行う。また、サブＣＰＵ４１１内には、キースイッチ１２や電源状態の状態、スピーカ１６の音量、マイク１５の感度などのパラメータが格納されているレジスタがあり、サブＣＰＵ４１１は、このレジスタに格納されているパラメータを参照して設定値や現在の装置状態を検出することが可能である。
【００３７】
メインＣＰＵ部４５０は、メインＣＰＵ４５１と、主に撮影画像データや電話番号などのユーザデータを格納するフラッシュメモリ４５２と、メインＣＰＵ４５１の作業領域を提供するＤＲＡＭ４５３とを有する。メインＣＰＵ４５１は、上述の各ブロック４１０，４２０，４３０，４４０におけるコントローラ４１５，４２１，４３２，４４１に対する制御命令を生成、出力する。また、メインＣＰＵ４５１は、カメラ部４１０のバッファメモリ４１６から読み出した画像データを圧縮してフラッシュメモリ４５２に書き込み、またフラッシュメモリ４５２から画像データを伸長して読み出すなどの画像データの書込み読出しを制御する。さらに、バッファメモリ４１６から読み出した画像データをＥＶＦ１３へ表示するためのＮＴＳＣ／ＰＡＬフォーマットへの信号変換および電話帳データの登録／削除、着信／発信履歴の管理などを含む個人データデータ管理がメインＣＰＵ４５１により行われる。
【００３８】
ここで、フラッシュメモリ４５２のメモリマップについて図７を参照しながら説明する。図７は図４のメインＣＰＵ部のフラッシュメモリにおけるメモリマップを示す図である。
【００３９】
フラッシュメモリ４５２には、図７に示すように、ファイル管理エリア７１、システムパラメータエリア７２、電話帳などのユーザデータを格納するアドレスデータベースエリア７３および撮影した画像を格納するエリア７４が設けられている。このシステムパラメータエリア７２には、着信報知回路４２４の動作パラメータが記憶されている。
【００４０】
次に、着信報知回路４２４の動作パラメータの設定について図５および図６を参照しながら説明する。図５は図１の通信機能付き撮像装置における着信音セレクト画面を示す図、図６は着信音セレクト画面のサブメニュー画面を示す図である。
【００４１】
本実施の形態では、着信報知回路４２４の動作として以下に示す７種類の着信報知形態が設定可能である。
【００４２】
トーン            …サウンダによる鳴動（＊）
バイブ            …バイブレーション
ステップトーン    …徐々に音量を増すサウンダ
トーン→バイブ    …最初サウンダ、所定回数の鳴動後にバイブレーションに切り替える形態
バイブ→トーン    …最初バイブレーション、所定回数の振動後にサウンダに切り替える形態
メロディ          …サウンダを使用したメロディ音による呼出し（＊）
オート            …自動切替
なお、（＊）が付された項目に関しては、音量やメロディの種類などのサブパラメータが設けられ、それぞれのサブパラメータを設定することにより、音量やメロディの種類などを設定することが可能である。
【００４３】
この着信音の選択設定は、図５に示す白黒液晶パネル１２７に表示される着信音セレクト画面上で行われる。この着信音セレクト画面には、図５に示すように、トーン、バイブ、ステップトーン、トーン→バイブ、バイブ→トーン、メロディ、オートの各報知形態が表示され、所望の報知形態の位置をカーソル５１で指示することによって所望の報知形態を選択、設定することができる。ここで、所望の報知形態を選択する際には、所望の報知形態の位置にカーソル５１をキースイッチ１２の操作により移動し、続いてキースイッチ１２により確定操作を行う。この確定操作により報知形態が確定されると、確定された報知形態に対応する動作パラメータがフラッシュメモリ４５２に格納される。この図５に示す画面例では、オートが選択されている。
【００４４】
また、（＊）が付された報知形態に関しては、サブメニューを用いて音量やメロディの種類などのサブパラメータを設定することが可能である。例えば、オートが選択されると、図６に示すように、このオートに対応するサブメニューが表示される。このオートに対応するサブメニューにおいては、優先する報知形態を指定するために、トーン優先とバイブ優先とのいずれかが指定される。ここで、トーン優先はサウンダを優先的に作動させるためのモードであり、バイブ優先はバイブレーションを優先的に作動させるためのモードである。本例では、オートにおいてトーン優先を選択する場合を示している。
【００４５】
上述した各報知形態において、トーン、バイブ、ステップトーン、トーン→バイブ、バイブ→トーン、メロディは、ユーザの好みに応じて任意に選択されるものであり、これらの報知形態が選択されている場合には、装置状態に関係なく、着信があると、選択された報知形態により着信報知が行われることになる。これに対し、オートが選択されているときには、着信時の機器状態に応じて着信報知形態が選択される。
【００４６】
次に、メインＣＰＵ４５１によるオート選択時の着信制御について図８を参照しながら説明する。図８は図１の通信機能付き撮像装置におけるオート選択時の着信制御を示すフローチャートである。
【００４７】
メインＣＰＵ４５１では、図８に示すように、ステップＳ８０１において、ＰＨＳコントローラ４２１が受信した着呼要求に対して発生する割込み要求の有無を監視し、この割込み要求があると、ステップＳ８０２に進み、現在設定されているモードを検出する。このモード検出では、まずメインＣＰＵ４５１がサブＣＰＵ４４１に対して参照要求を発行する。この参照要求を受けたサブＣＰＵ４４１は、これのレジスタ内にある、現在設定されているモード（ＴＥＬ／ＶＩＥＷ／ＣＡＭＥＲＡ）を示すデータをメインＣＰＵ４５１に返す。ここで、ＴＥＬは通話モードを、ＶＩＥＷはフラッシュメモリ４５２に格納されている撮影画像を再生する再生モードを、ＣＡＭＥＲＡは撮影モードをそれぞれ示す。このデータを受けたメインＣＰＵ４５１は、現在設定されているモードを検出する。
【００４８】
続くステップＳ８０３では、ＥＶＦ１３の収納状態を検出する。この検出では、メインＣＰＵとローラ４５１が液晶コントローラ４３２に対してＥＶＦ検知スイッチ２１の状態確認要求を発行し、この状態確認要求を受けた液晶コントローラ４３２は、ＥＶＦ検知スイッチ２１の状態を示すデータをメインＣＰＵ４５１に返す。メインＣＰＵ４５１は、このデータに基づき現在のＥＶＦ１３の収納状態を検出する。
【００４９】
そしてステップＳ８０４に進み、検出した現在の設定モードおよびＥＶＦ１３の収納状態とフラッシュメモリ４５２のエリア７２に格納されている着信報知形態を規定する動作パラメータとに基づき着信報知回路４２４による報知形態を決定する。この着信報知形態の決定方法については、後述する。
【００５０】
次いで、ステップＳ８０５に進み、決定された報知形態に従って報知装置４２４を作動させるように制御し、続くステップＳ８０６で、サブＣＰＵ４４１からの信号に基づき通話キーが押されたか否かを判定し、通話キーが押されていないときには、ステップＳ８１１に進み、呼出しが終了したか否かを判定する。ここでは、着呼要求が、相手からの切断や電波状態が不安定になるなどして失われると、呼出しが終了したとして判定し、この読出しが終了していないときには、上記ステップＳ８０５に戻り、着信報知を続行する。これに対し、呼出しが終了すると、ステップＳ８１２に進み、切断処理を行い、そして上記ステップＳ８０１に戻る。
【００５１】
上記ステップＳ８０６において通話キーが押されたと判定されると、ステップＳ８０７に進み、ＰＨＳコントローラ４２１に対して割込み要求を発行し、続くステップＳ８０８で、報知装置４２４を停止させ、そしてステップＳ８０９で通話実行に必要な前準備を行う。ここでは、例えば省電力モードにあるときには、電源部４４０に対して通常モードへの復帰を指示し、通常モードへの復帰を指示する。そしてステップＳ８１０に進み、ＰＨＳ部４２０のＰＨＳコントローラ４２１に対して着呼処理を行うように指示する。この指示を受けたＰＨＳコントローラ４２１は、ＲＯＭ４２２に格納されている着呼手順に従い着呼処理を実行し、これにより通話を開始することができる。
【００５２】
次に、上記ステップＳ８０４のオート選択時の報知形態の決定について図９および表１を参照しながら詳細に説明する。図９は図１の通信機能付き撮像装置における報知形態の１つであるＥＶＦ表示の一例を示す図である。
【００５３】
この報知形態の決定においては、上述したように、検出した現在の設定モードおよびＥＶＦ１３の収納状態とフラッシュメモリ４５２のエリア７２に格納されている着信報知形態を規定する動作パラメータとに基づき着信報知回路４２４による報知形態を決定する。ここでは、検出した設定モードおよびＥＶＦ１３の収納状態に基づき装置状態を想定し、この想定した装置状態に最適な報知形態を選択する。具体的には、次の表１に基づき最適な報知形態を選択する。
【００５４】
【表１】
0004261688.tif 000002
【００５５】
設定モードおよびＥＶＦ１３の収納状態の組合せとしては、表1に示すように、（ＴＥＬ，ＥＶＦ  ＣＬＯＳＥ）、（ＴＥＬ，ＥＶＦ  ＯＰＥＮ）、（ＶＩＥＷ，ＥＶＦ  ＣＬＯＳＥ）、（ＶＩＥＷ，ＥＶＦ  ＯＰＥＮ）、（ＣＡＭＥＲＡ，ＥＶＦ  ＣＬＯＳＥ）、（ＣＡＭＥＲＡ，ＥＶＦ  ＯＰＥＮ）の各組合せがあり、これらの組合せに対して選択可能な報知形態が規定されている。
【００５６】
まず、（ＴＥＬ，ＥＶＦ  ＣＬＯＳＥ）に関しては、装置がＴＥＬモードにあり、撮影は行われていないと判断することができる。また、ＥＶＦ１３が収納状態にあることから、装置状態としては図１８または図２１に示すような状態にある。この装置状態はユーザが装置を持ち歩いているまたはどこかに置いているという状態であると想定されるから、報知形態としてはサウンダ、バイブレーションのいずれも許容される。よって、オートが設定され、（ＴＥＬ，ＥＶＦ  ＣＬＯＳＥ）すなわち通話モードでＥＶＦ１３が収納状態にあるときには、トーン優先、バイブ優先のいずれも許容され、ユーザが選択した優先モードに応じた着信報知が行われることになる。
【００５７】
（ＴＥＬ，ＥＶＦ  ＯＰＥＮ）の場合、装置がＴＥＬモード状態にあり、撮影は行われていないが、ＥＶＦ１３が開かれた状態にある。この装置状態は、ユーザが装置を持ち歩いている状態であるとは想定し難く、机上などに置いてある状態であると想定されるから、ユーザに着信を確実に知らせるために、報知形態としてサウンダが優先される。よって、（ＴＥＬ，ＥＶＦ  ＯＰＥＮ）すなわち通話モードでＥＶＦ１３が開かれた状態にあるときには、サウンダの報知形態が優先される。ここで、バイブ優先のサブパラメータが設定されているときには、バイブ優先をトーン優先に切り替えるように、サブパラメータの切替えが行われ、報知形態としてトーン優先が選択される。
【００５８】
（ＶＩＥＷ，ＥＶＦ  ＣＬＯＳＥ）の場合、装置はＶＩＥＷモード状態にあるが、ＥＶＦ１３は収納されていることから、装置は待機モードにあると考えられる。よって、よって、（ＴＥＬ，ＥＶＦ  ＣＬＯＳＥ）の場合と同様に、トーン優先、バイブ優先のいずれも許容され、ユーザが選択した優先モードに応じた着信報知が行われることになる。
【００５９】
（ＶＩＥＷ，ＥＶＦ  ＯＰＥＮ）の場合、装置はＶＩＥＷモード状態にあり、ＥＶＦ１３は開かれていることから、図２１に示すようなＥＶＦ１３をビュワーとして使用している状態にある。このときには、ユーザが装置を手に持ちまたは装置を近くにおいてＥＶＦ１３に映し出された再生画像を見ているなどの状態を考えることができる。よって、（ＴＥＬ，ＥＶＦ  ＣＬＯＳＥ）の場合と同様に、トーン優先、バイブ優先のいずれも許容され、ユーザが選択した優先モードに応じた着信報知を行うことが可能である。また、ＥＶＦ１３が表示状態にあるから、トーン優先またはバイブ優先のいずれかの報知形態と、このＥＶＦ１３に、例えば着信メッセージまたはそれに相当するアイコンを表示する報知形態とを組み合わせて着信を報知することも可能である。以下、このＥＶＦ１３に着信メッセージまたはそれに相当するアイコンを表示する報知形態をＥＶＦ表示という。このＥＶＦ表示の例としては、図９に示すように、ＥＶＦ１３に画像１０１を映し出している状態において着信があると、電話形状のアイコン１０２を点滅させ、このアイコン１０２に点滅により着信を報知する。
【００６０】
なお、このＥＶＦ表示を単独で用いて着信報知を行うことも可能であるが、サウンダやバイブレーションを組み合わせて使用することにより、着信をより効果的に報知することが可能になる。
【００６１】
（ＣＡＭＥＲＡ，ＥＶＦ  ＣＬＯＳＥ）の場合、装置はＣＡＭＥＲＡモード状態にあるが、ＥＶＦ１３は収納されているから、装置は待機モードにあると考えられる。よって、（ＴＥＬ，ＥＶＦ  ＣＬＯＳＥ）の場合と同様に、トーン優先、バイブ優先のいずれも許容され、ユーザが選択した優先モードに応じた着信報知が行われることになる。
【００６２】
（ＣＡＭＥＲＡ，ＥＶＦ  ＯＰＥＮ）の場合、装置はＣＡＭＥＲＡモード状態にあり、ＥＶＦ１３は開かれていることから、撮影動作中である可能性が高い。このときに報知形態としてバイブレーションを選択すると、この報知形態による振動が手ぶれなどを招く恐れがあるから、このバイブレーションは撮影動作中における報知形態に適さない。また、サウンダに関しては、その鳴動がユーザまたは被写体を驚かせて撮影に悪影響を与える恐れがあるから、バイブレーションと同様に、このサウンダは撮影動作中における報知形態に適さない。そこで、オートが設定された（ＣＡＭＥＲＡ，ＥＶＦ  ＯＰＥＮ）の場合においては、オートにおいて選択されているサウンダ優先またはバイブレーション優先を無視して、上述のＥＶＦ表示のみで着信報知を行うように設定する。よって、撮影中においてはＥＶＦ１３を見ているから、ＥＶＦ１３表示のみで十分に着信を効果的に報知することができ、またこのＥＶＦ表示のみで着信報知を行うことにより、サウンダまたはバイブレーションが撮影に与える悪影響を排除することができる。
【００６３】
このように、報知形態としてオートが選択されている場合には、装置モードおよびＥＶＦの収納状態に基づき着信時の装置状態を想定してそれに適した報知形態を選択するから、着信時に装置状態に適した報知形態で着信を報知することができる。
【００６４】
次に、ユーザの着信操作後から実際の通話／通信が行われるまでの手順について説明する。
【００６５】
本実施の形態では、音声通話に加えてデータ通信が可能であるが、現在のＰＨＳ（または携帯電話）の通信プロトコルでは、着信前にそれが音声であるかデータ通信であるかを判別することはできない。そのため、例えば撮影中に着信があった場合、それが音声着信であるときには、撮影中であることから、通話を接話よりハンズフリーモードで行う方が適切であり、データ通信であるときには、自動的にデータ受信モードへ移行することが好ましい。このように、撮影中に音声またはデータの着信がある場合、この着信により撮影が阻害されない環境を提供することが重要である。
【００６６】
そこで、本実施の形態では、着信操作を行った後に、通話開始前のネゴシエーション時にその内容を判断し、着信が音声着信の場合には、装置モードやＥＶＦ１３の収納状態から着信時の装置状態を検出し、この検出した装置状態に応じて通話モードを接話またはハンズフリーモードに切り替え、着信がデータ通信時には、ＥＶＦ１３へのメッセージ表示や音声メッセージなどによりその旨を通知する。
【００６７】
まず、音声着信時の場合の接話またはハンズフリーモードへの切替パターンおよびデータ通信時の場合のＥＶＦ１３へのメッセージ表示または音声メッセージへの切替パターンについて表２および表３を参照しながら説明する。
【００６８】
【表２】
0004261688.tif 000003
【００６９】
音声着信時の場合には、表２に示すように、接話またはハンズフリーモードへの切替を、装置モード（ＴＥＬ，ＶＩＥＷ，ＣＡＭＥＲＡ）およびＥＶＦ１３の収納状態に応じて判断する。具体的には、上記切替を、着信操作をした時点でＥＶＦ１３を使用しているか否かを基準として判断する。例えば、装置がＴＥＬモード状態にあり、ＥＶＦ１３が開かれているときには、スピーカ１６が裏面側に向けられているから、接話が難しく、ハンズフリーモードが選択される。これに対し、装置がＴＥＬモード状態にあり、ＥＶＦ１３が収納されているときには、スピーカ１６が表面側に向けられているから、接話が可能となり、接話が選択されることになる。
【００７０】
なお、ここでは、接話またはハンズフリーモードへの切替パターンについて説明したが、接話またはハンズフリーモードへ切り替えたことをＥＶＦへのメッセージ表示または音声メッセージにより通知するようにすることが好ましい。この場合には、ＥＶＦ１３の収納状態に応じて接話またはハンズフリーモードへの切替え通知にＥＶＦへのメッセージ表示または音声メッセージを選択するなどの方法が考えられる。
【００７１】
【表３】
0004261688.tif 000004
【００７２】
データ通信時の場合には、表３に示すように、ＥＶＦ１３へのメッセージ表示または音声メッセージへの切替を、音声着信時の場合と同様に、装置モード（ＴＥＬ，ＶＩＥＷ，ＣＡＭＥＲＡ）およびＥＶＦ１３の収納状態に応じて判断する。具体的には、上記切替を、着信操作をした時点でＥＶＦ１３を使用しているか否かを基準として判断する。例えば、装置がＴＥＬモード状態にあり、ＥＶＦ１３が開かれているときには、ＥＶＦ１３が表面側に向けられているから、ＥＶＦ１３へのメッセージ／アイコン表示による通知が有効に作用する。よって、ＥＶＦメッセージ／アイコン表示が選択される。これに対し、装置がＴＥＬモード状態にあり、ＥＶＦ１３が収納されているときには、スピーカ１６が表面側に向けられているから、スピーカ１６から音声メッセージを発しＬＥＤを点滅させることが有効に作用する。よって、音声メッセージ／ＬＥＤが選択される。
【００７３】
次に、音声着信時の場合の接話またはハンズフリーモードへの切替手順およびデータ通信時の場合のＥＶＦ１３へのメッセージ表示または音声メッセージへの切替手順について図１０を参照しながら説明する。図１０は図１の通信機能付き撮像装置における音声着信時の場合の接話またはハンズフリーモードへの切替手順およびデータ通信時の場合のＥＶＦへのメッセージ表示または音声メッセージへの切替手順を示すフローチャートである。
【００７４】
着信操作が行われると、図１０に示すように、まずステップＳ１２１において通信プロトコルに基づきネゴシエーション（着呼処理）を行い、続くステップＳ１２２で現在設定されているモードを調べる。
【００７５】
次いで、ステップＳ１２３に進み、上記ネゴシエーションの結果および現在設定されているモードに基づき着信がどのモード状態における音声着信かデータ通信であるかを判別する。音声着信であるときには、ステップＳ１２４に進み、ＥＶＦ検知スイッチ２１の信号に基づきＥＶＦ１３の収納状態を判別する。ＥＶＦ１３が開かれているときには、ステップＳ１２５に進み、通話モードとしてハンズフリーモードを選択する。これに対し、ＥＶＦ１３が収納（ＣＬＯＳＥ）されているときには、ステップＳ１２６に進み、通話モードとして接話モードを選択する。
【００７６】
上記ステップＳ１２３においてデータ通信であると判定されると、ステップＳ１２７に進み、ＥＶＦ検知スイッチ２１の信号に基づきＥＶＦ１３の収納状態を判別する。ＥＶＦ１３が開かれているときには、ステップＳ１２８に進み、データ通信であることを示すメッセージ／アイコンをＥＶＦ１３に表示する。これに対し、ＥＶＦ１３が収納（ＣＬＯＳＥ）されているときには、ステップＳ１２９に進み、データ通信であることを示す音声メッセージをスピーカ１６から発するとともに、ＬＥＤを点滅させる。
【００７７】
次に、このように選択した通話モードへの切替手順について図１１を参照しながら説明する。図１１は図１の通信機能付き撮像装置における接話またはハンズフリーモードへの通話モードの切替手順を示すフローチャートである。ここでは、接話またはハンズフリーモードへの通話モードの切替手順を、装置がＶＩＥＷまたはＣＡＭＥＲＡモード状態において接話からハンズフリーモードへ切り替える場合を例にして具体的に説明する。
【００７８】
接話またはハンズフリーモードへの通話モードの切替においては、まずステップＳ１３１においてサブＣＰＵ４４１に対して参照要求を発行し、現在の通話モードが接話モードであるかハンズフリーモードにあるかを調べ、続くステップＳ１３２で、現在の通話モードが接話モードであるか否かを判定する。
【００７９】
現在の通話モードが接話モードであるときには、ステップＳ１３３に進み、ＰＨＳコントローラ４２１に対してハンズフリーモードへの切替命令を発行し、続くステップＳ１３４で、スピーカ１６の音量を所定レベルまで上げるようにＯＰアンプ４２６のパラメータを変更する。そしてステップＳ１３５で、マイク１５の感度を所定レベルまで上げるようにゲインアップ回路４２７のパラメータを変更する。また、同時に所定の周波数帯域以外の増幅をフィルタによってカットするなどのハンズフリーモードに適したマイク設定変更処理を行う。このようにして接話モードからハンズフリーモードへの切替が行われ、通話が開始される。
【００８０】
これに対し、現在の通話モードがハンズフリーモードであるときには、上記ステップＳ１３３〜１３５をスキップして通話開始へ移行する。
【００８１】
通話が一旦開始された後は、ユーザは好みによってキースイッチによる切替操作でハンズフリーと接話を切り替えて使用することができる。この場合の処理手順について図１２を参照しながら説明する。図１２は図１の通信機能付き撮像装置におけるキースイッチによる切替操作でハンズフリーと接話を切り替える処理の手順を示すフローチャートである。
【００８２】
接話／ハンズフリー切替スイッチがオンされると、図１２に示すように、ステップＳ１４１において、メインＣＰＵ４５１は接話／ハンズフリー切替スイッチオンに伴いサブＣＰＵ４４１から現在設定されている通話モードを取得し、続くステップＳ１４２で、現在の通話モードを判別する。
【００８３】
現在の通話モードが接話モードであるときには、ステップＳ１４３に進み、メインＣＰＵ４５１はＰＨＳコントローラ４２１に対してハンズフリーモードへの切替命令を発行する。そして、ステップＳ１４４に進み、ＰＨＳコントローラ４２１によりスピーカ１６の音量をハンズフリーモードに対応したレベルになるようにＯＰアンプ４２６のパラメータを変更し、続くステップＳ１４５で、マイク１５の感度をハンズフリーモードに対応したレベルになるようにゲインアップ回路４２７のパラメータを変更するとともに、所定の周波数帯域以外の増幅をフィルタによってカットするなどのハンズフリーモードに適したマイク設定変更処理を行う。このようにして接話モードからハンズフリーモードへの切替が行われ、通話が開始される。
【００８４】
現在の通話モードがハンズフリーモードであるときには、ステップＳ１４６に進み、メインＣＰＵ４５１はＰＨＳコントローラ４２１に対して接話モードへの切替命令を発行する。そして、ステップＳ１４７に進み、ＰＨＳコントローラ４２１によりスピーカ１６の音量を接話モードに対応したレベルになるようにＯＰアンプ４２６のパラメータを変更し、続くステップＳ１４８で、マイク１５の感度を接話モードに対応したレベルになるようにゲインアップ回路４２７のパラメータを変更するとともに、所定の周波数帯域以外の増幅をカットするフィルタをオフに設定する。このようにしてハンズフリーモードから接話モードへの切替が行われ、通話が開始される。
【００８５】
このように、ユーザは接話／ハンズフリーモードをキースイッチ操作によって随時変更することができる。
【００８６】
以上より、着信時に装置状態を検出し、この着信が音声着信であるときには、この検出した装置状態に応じて接話／ハンズフリーモードを自動的に切り替えるから、通話着信があると、通話に最適な通話モードを選択することができ、ユーザに対して最適な通話環境を提供することができる。
【００８７】
ここで、本実施の形態では、１つのスピーカ１６および１つのマイクを用い、スピーカ１６の音量、マイク１５の感度をハンズフリーに適したレベルに制御することによってハンズフリーモードを実現しているが、スピーカ１６およびマイク１５の個数がそれぞれ１つであるから、スピーカ１６の音量アップによる音割れ、マイク１５の感度アップによる周囲の雑音の混入などが発生し易くなる。そこで、スピーカ１６の音量アップによる音割れ、マイク１５の感度アップによる周囲の雑音の混入などを少なく抑えるために、音響特性が異なる複数のスピーカ、複数のマイクを用意し、使用状況に応じて複数のスピーカおよびマイクを切り替えるような構成を採用することが好ましい。
【００８８】
この構成の一例について図１３および図１４を参照しながら説明する。図１３は複数のスピーカおよびマイクを有する通信機能付き撮像装置の外観構成を示す斜視図、図１４は図１３の通信機能付き撮像装置におけるＰＨＳ部の構成を示すブロック図である。なお、図中、図４に示すＰＨＳ部４２０におけるブロックと同一のブロックには同じ符号を付し、その説明は省略する。
【００８９】
複数のスピーカおよびマイクを有する通信機能付き撮像装置においては、図１３および図１４に示すように、複数のスピーカ１５１，１５２および複数のマイク１５３，１５４が設けられている。ここで、スピーカ１５１は接話モードに適した特性を有する接話用スピーカ、スピーカ１５２はハンズフリーモードに適した特性を有するハンズフリー用スピーカであり、各スピーカ１５１，１５２はそれぞれ対応する位置に配置されている。例えば、接話用スピーカ１５１は図１３に示すように、図１のスピーカ１６と同じ位置にあり、ハンズフリー用スピーカ１５２は装置本体上部に搭載される。また、マイク１５３は接話モードに適した特性を有する接話用マイク、マイク１５４はハンズフリーモードに適した特性を有するハンズフリー用マイクである。マイク１５２は、図１３に示すように、図１のマイク１５と同じ位置にあり、マイク１５４はマイク１５２と隣接して配置されている。
【００９０】
これらのスピーカおよびマイクの特性を具体的に示すと、以下のようになる。
【００９１】
接話用スピーカ１５１          …小径／低出力／低出力時の音声域の特性が良好
ハンズフリー用スピーカ１５２  …大径／大出力／大出力時の音声域の特性が良好
接話用マイク１５３            …有指向性
ハンズフリー用マイク１５４    …無指向性
すなわち、接話用には、耳に当てたときに最も良好な特性を示す小型／低出力のスピーカと、周辺のノイズ除去に効果を発揮する有指向性マイクとを用いる。ハンズフリー用には、装置から離れていても十分に聞き取りが可能な大型／大出力のスピーカと、話者がどこにいても通話可能な無指向性マイクとを用いる。
【００９２】
これらのスピーカ１５１，１５２およびマイク１５３，１５４は、選択された通話モードに応じてスピーカ切替回路１６１およびマイク切替回路１６２により切り替えられる。スピーカ切替回路１６１は、ＰＨＳコントローラ４２１からの制御信号１６３に基づきスピーカの切替を行い、この切替に伴いＯＰアンプ４２６はＰＨＳコントローラ４２１からの制御信号に基づき切り替えられたスピーカに対応するパラメータを設定する。同様に、マイク切替回路１６２はＰＨＳコントローラ４２１からの制御信号１６３に基づきマイクの切替を行い、この切替に伴いゲインアップ回路４２７はＰＨＳコントローラ４２１からの制御信号に基づき切り替えられたマイクに対応するパラメータを設定する。
【００９３】
また、上記構成に代えて図１５に示す構成を採用することもできる。この構成は電気的に各スピーカ１５１，１５２およびマイク１５３，１５４を切り替えるものである。図１５は図１の通信機能付き撮像装置に適用されるスピーカおよびマイクの切替構成を示すブロック図である。
【００９４】
この構成においては、図１５に示すように、各スピーカ１５１，１５２それぞれに対応するＯＰアンプ１７２，１７１を設けるとともに、各マイク１５３，１５４それぞれに対応するゲインアップ回路１７４，１７３を設けている。そして、各ＯＰアンプ１７１，１７２、各ゲインアップ回路１７３，１７４を使用状況に応じて切り替えることによって、各スピーカ１５１，１５２および各マイク１５３，１５４の切替が行われる。ＯＰアンプ１７１，１７２の切替は切替回路１７５により、ゲインアップ回路１７３，１７４の切替は切替回路１７６により行われる。各切替回路１７５，１７６は、モードセレクトスイッチ（ＴＥＬ／ＶＩＥＷ／ＣＡＭＥＲＡ）３１およびＥＶＦ検知スイッチ２１の出力信号に基づきＯＰアンプ１７１，１７２、ゲインアップ回路１７３，１７４の切替動作を行う。このように電気的に切替を行う場合、部品点数が増すが、構成を簡素化することができる。
【００９５】
よって、音響特性が異なる複数のスピーカ、複数のマイクを用意し、使用状況に応じて複数のスピーカおよびマイクを切り替えるような構成を採用することによって、１つのスピーカおよびマイクを用いたハンズフリーの通話環境に対して、スピーカ音量アップによる音割れ、マイク感度アップによる周囲の雑音の混入などを少なく抑えることができ、より快適なハンズフリー環境を提供することができる。
【００９６】
次に、データ着信を報知するためのＥＶＦ１３へのメッセージ表示または音声メッセージへの切替の具体例について図１６および図１７を参照しながら説明する。図１６は図１の通信機能付き撮像装置におけるデータ受信時およびその終了時の音声メッセージを発する形態の一例を示す図、図１７は図１の通信機能付き撮像装置におけるデータ受信時のＥＶＦメッセージ表示の一例を示す図である。
【００９７】
データ着信時の場合には、上述したように、データ着信を報知するためのＥＶＦ１３へのメッセージ表示または音声メッセージへの切替を装置モード（ＴＥＬ，ＶＩＥＷ，ＣＡＭＥＲＡ）およびＥＶＦ１３の収納状態に応じて行う。ここで、ＥＶＦ１３が閉じられているときには、スピーカ１６が表面側に向けられているから、スピーカ１６が有効に作用する。この状態でのデータ受信時には、例えば図１６（ａ）に示すように、スピーカ１６から音声メッセージとして「データ受信中です…」を発し、ＬＥＤを点滅させる。また、このデータ受信が終了すると、図１６（ｂ）に示すように、スピーカ１６から音声メッセージとして「受信が終わりました」を発し、ＬＥＤを消灯させ、これによりデータ受信終了をユーザに報知する。
【００９８】
ＥＶＦ１３が開かれているときには、ＥＶＦ１３の画面が視認可能であるから、ＥＶＦ１３へのメッセージ／アイコン表示による通知が有効に作用する。この場合には、例えば図１７に示すように、ＥＶＦ１３に画像１０１を映し出している状態においてデータ着信を表すアイコン２０１を表示し、このアイコン２０１によりデータ着信を報知する。なお、データ着信時にはアイコン２０１の表示を変化させるなどによりさらに効果的にデータ着信を報知することができる。
【００９９】
以上により、データ着信を音声着信と区別してユーザに報知することができるとともに、データ着信を装置状態に応じた最適な形態で報知することができる。
【０１００】
【発明の効果】
以上説明したように、本発明によれば、撮影を妨害することなく、撮影動作中の着信を報知することができる。
【図面の簡単な説明】
【図１】本発明の通信機能付き撮像装置の実施の一形態の外観構成を示す斜視図である。
【図２】図１の通信機能付き撮像装置の撮影時におけるＥＶＦの状態を示す斜視図である。
【図３】図１の通信機能付き撮像装置のシャッターボタンおよびその周囲を拡大して示す図である。
【図４】図１の通信機能付き撮像装置の内部構成を示すブロック図である。
【図５】図１の通信機能付き撮像装置における着信音セレクト画面を示す図である。
【図６】着信音セレクト画面のサブメニュー画面を示す図である。
【図７】図４のメインＣＰＵ部のフラッシュメモリにおけるメモリマップを示す図である。
【図８】図１の通信機能付き撮像装置におけるオート選択時の着信制御を示すフローチャートである。
【図９】図１の通信機能付き撮像装置における報知形態の１つであるＥＶＦ表示の一例を示す図である。
【図１０】図１の通信機能付き撮像装置における音声着信時の場合の接話またはハンズフリーモードへの切替手順およびデータ通信時の場合のＥＶＦへのメッセージ表示または音声メッセージへの切替手順を示すフローチャートである。
【図１１】図１の通信機能付き撮像装置における接話またはハンズフリーモードへの通話モードの切替手順を示すフローチャートである。
【図１２】図１の通信機能付き撮像装置におけるキースイッチによる切替操作でハンズフリーと接話を切り替える処理の手順を示すフローチャートである。
【図１３】複数のスピーカおよびマイクを有する通信機能付き撮像装置の外観構成を示す斜視図である。
【図１４】図１３の通信機能付き撮像装置におけるＰＨＳ部の構成を示すブロック図である。
【図１５】図１の通信機能付き撮像装置に適用されるスピーカおよびマイクの切替構成を示すブロック図である。
【図１６】図１の通信機能付き撮像装置におけるデータ受信時およびその終了時の音声メッセージを発する形態の一例を示す図である。
【図１７】図１の通信機能付き撮像装置におけるデータ受信時のＥＶＦメッセージ表示の一例を示す図である。
【図１８】従来の通信機能付き撮像装置の外観構成を示す斜視図である。
【図１９】図１８の通信機能付き撮像装置の背面側の外観構成を示す斜視図である。
【図２０】図１８の通信機能付き撮像装置のＥＶＦの回転動作を示す斜視図である。
【図２１】図１８の通信機能付き撮像装置の撮影時の状態を示す斜視図である。
【符号の説明】
１０  撮像レンズ
１１  シャッタースイッチ
１３  ＥＶＦ
１５，１５３，１５４  マイク
１６，１５１，１５２  スピーカ
２１  ＥＶＦ検知スイッチ
３１  モードセレクトスイッチ
１６１  スピーカ切替回路
１６２  マイク切替回路
１７１，１７２，４２６  ＯＰアンプ
１７３，１７４，４２７  ゲインアップ回路
１７５，１７６  切替回路
４１０  カメラ部
４２０  ＰＨＳ部
４２１  ＰＨＳコントローラ
４２４  着信報知回路
４３０  カラー液晶部
４４０  電源部
４４１  サブＣＰＵ
４５０  メインＣＰＵ部
４５１  メインＣＰＵ
４５２  フラッシュメモリ
【図１】
0004261688.tif 000005
【図２】
0004261688.tif 000006
【図３】
0004261688.tif 000007
【図４】
0004261688.tif 000008
【図５】
0004261688.tif 000009
【図６】
0004261688.tif 000010
【図７】
0004261688.tif 000011
【図８】
0004261688.tif 000012
【図９】
0004261688.tif 000013
【図１０】
0004261688.tif 000014
【図１１】
0004261688.tif 000015
【図１２】
0004261688.tif 000016
【図１３】
0004261688.tif 000017
【図１４】
0004261688.tif 000018
【図１５】
0004261688.tif 000019
【図１６】
0004261688.tif 000020
【図１７】
0004261688.tif 000021
【図１８】
0004261688.tif 000022
【図１９】
0004261688.tif 000023
【図２０】
0004261688.tif 000024
【図２１】
0004261688.tif 000025